(57)【要約】【課題】メスコネクタに係合する係止爪を備えた穿刺針アダプタにおいて、接続可能なメスコネクタのサイズを拡大し、且つ、穿刺針とメスコネクタとの接続状態を視認可能にする。【解決手段】４つのアーム２１が突出した略十字形状の天板２０の中央から穿刺針１０が突出している。各アームの先端から、スリット２３を介して分割された２本の弾性片２２が、穿刺針と同じ側に向かって延びている。隣り合う２つのアームからそれぞれ延びた２本の弾性片の先端が架橋部２４を介して接続されて略Ｕ字形状の保持片２５が形成されている。係止爪３０が、保持片の架橋部に、穿刺針に向かって突出している。弾性片が弾性変形することにより、係止爪は穿刺針から離れる向きに変位可能である。【選択図】図１Ａ
2014079355.tif 000002
【特許請求の範囲】
【請求項１】
穿刺針と、前記穿刺針をメスコネクタに穿刺したときに前記メスコネクタに係合する係止爪とを備えた穿刺針アダプタであって、
前記穿刺針アダプタは、４つのアームが略十字形状になるように突出した天板を更に備え、
前記穿刺針は、前記天板の中央から突出しており、
前記４つのアームのそれぞれの先端から、スリットを介して分割された２本の弾性片が、前記穿刺針と対向するように前記穿刺針と同じ側に向かって延び、
互いに隣り合う２つのアームからそれぞれ延びた２本の弾性片の先端が架橋部を介して接続されて略Ｕ字形状の保持片が形成されており、
前記係止爪は、前記保持片の前記架橋部に、前記穿刺針に向かって突出して形成されており、
前記保持片を構成する前記２本の弾性片が弾性変形することにより、前記係止爪は前記穿刺針から離れる向きに変位可能であることを特徴とする穿刺針アダプタ。
【請求項２】
前記係止爪の前記天板に対向する係止面は、前記穿刺針に近づくにしたがって前記天板に近づくように傾斜している請求項１に記載の穿刺針アダプタ。
【請求項３】
前記弾性片は、前記天板から遠ざかるにしたがって前記穿刺針から離れるように傾斜している請求項１又は２に記載の穿刺針アダプタ。
【請求項４】
前記スリットは、前記アームの前記先端又はその近傍にまで達している請求項１〜３のいずれかに記載の穿刺針アダプタ。
【請求項５】
前記保持片の前記架橋部の前記天板とは反対側の端縁が、滑らかな曲線で構成されている請求項１〜４のいずれかに記載の穿刺針アダプタ。
【請求項６】
前記係止爪は、前記天板とは反対側に、前記穿刺針に近づくにしたがって前記天板に近づくように傾斜した摺動面を備える請求項１〜５のいずれかに記載の穿刺針アダプタ。
【請求項７】
前記天板の前記穿刺針とは反対側の面に、前記穿刺針と連通した自閉式のコネクタが設けられている請求項１〜６のいずれかに記載の穿刺針アダプタ。
【発明の詳細な説明】
【技術分野】
【０００１】
本発明は、穿刺針をメスコネクタに穿刺した状態を安定的に維持するための係止爪を備えた穿刺針アダプタに関する。
【背景技術】
【０００２】
薬液を静脈を通じて患者に投与する場合、調製された薬液が貯留された薬液容器のメスコネクタ（ポート）と患者の静脈とが柔軟なチューブを含む輸液セットを介して接続される。薬液容器のメスコネクタには、通常、ゴム栓が設けられている。このゴム栓に、輸液セットの上流側端に設けられた、鋭利な先端を有する穿刺針（「瓶針」と呼ばれることもある）を穿刺することにより、薬液容器と輸液セットとが連通される。
【０００３】
ゴム栓に穿刺針を単に穿刺しただけでは、外力や振動がメスコネクタ又は穿刺針に印加されることにより、穿刺針がゴム栓から意図せずに抜け落ちる可能性がある。その結果、薬液が外界に漏出することがある。
【０００４】
薬液が、例えば一部の抗がん剤のように劇薬に指定された危険な薬剤を含む場合がある。このような危険な薬液が漏出して、作業者の指などに付着したり、その蒸気を作業者が吸引したりする事態は何としても回避しなければならない。
【０００５】
穿刺針がゴム栓から意図せずに抜け落ちるのを防止するために、メスコネクタに係合する係合構造を穿刺針に一体的に設けた各種の穿刺針アダプタが提案されている。
【０００６】
例えば、特許文献１には、ハウジングの中央から突出した穿刺針を取り囲むように、ハウジングから４つの係合フック要素が立設された穿刺針アダプタが記載されている。各係合フック要素の先端には穿刺針に向かって突出したフック突起が設けられている。フック突起が、メスコネクタのフランジに係合することにより、穿刺針がゴム栓から抜け落ちるのが防止される。
【０００７】
特許文献２には、穿刺針を取り囲むように略円筒形状のシュロウドを設けた穿刺針アダプタが記載されている。シュロウドの内周面には、比較的短く且つ高剛性の一対の第１爪と、比較的長く且つ可塑的に変形可能な一対の第２爪とが、穿刺針に向かって突出している。相対的に大きな外径を有するフランジを備えたメスコネクタに接続する場合、第２爪が変形し、第１爪がメスコネクタのフランジに係合する。相対的に小さな外径を有するフランジを備えたメスコネクタに接続する場合には、第２爪がメスコネクタのフランジに係合する。このように、メスコネクタのフランジの大きさに応じて第１爪及び第２爪のいずれかがフランジに係合することにより、穿刺針がゴム栓から抜け落ちるのが防止される。
【先行技術文献】
【特許文献】
【０００８】
【特許文献１】特開２０１２−５１１９４０号公報
【特許文献２】特許第４５０９５６９号明細書
【発明の概要】
【発明が解決しようとする課題】
【０００９】
上記の特許文献１に記載の穿刺針アダプタは、係合フック要素の可動範囲が小さいので、接続しうるフランジのサイズに制限がある。例えば、大きな外径を有するフランジに係合フック要素のフック突起を係合させることは困難である。
【００１０】
上記の特許文献２に記載の穿刺アダプタは、２種類の爪を備えるので、特許文献１の穿刺アダプタに比べて、接続しうるフランジのサイズの範囲が広い。しかしながら、２種類の爪にはそれぞれ最適なフランジのサイズがあり、このサイズを外れたサイズのフランジには２種類の爪のいずれをも係合させることは困難である。また、略円筒形状のシュロウドが穿刺針の周囲を取り囲んでいるので、穿刺針をメスコネクタのゴム栓に穿刺する場合に、穿刺針のゴム栓への穿刺状態をシュロウドの外から視認することが困難である。
【００１１】
本発明は、メスコネクタに係合する係止爪を備えた穿刺針アダプタに関するものである。本発明の第１の目的は、当該穿刺針アダプタにおいて、接続可能なメスコネクタのサイズの範囲を拡大することにある。本発明の第２の目的は、当該穿刺針アダプタにおいて、穿刺針とメスコネクタとの接続状態を視認可能にすることにある。
【課題を解決するための手段】
【００１２】
本発明の穿刺針アダプタは、穿刺針と、前記穿刺針をメスコネクタに穿刺したときに前記メスコネクタに係合する係止爪とを備える。前記穿刺針アダプタは、４つのアームが略十字形状になるように突出した天板を更に備える。前記穿刺針は、前記天板の中央から突出している。前記４つのアームのそれぞれの先端から、スリットを介して分割された２本の弾性片が、前記穿刺針と対向するように前記穿刺針と同じ側に向かって延びている。互いに隣り合う２つのアームからそれぞれ延びた２本の弾性片の先端が架橋部を介して接続されて略Ｕ字形状の保持片が形成されている。前記係止爪は、前記保持片の前記架橋部に、前記穿刺針に向かって突出して形成されている。前記保持片を構成する前記２本の弾性片が弾性変形することにより、前記係止爪は前記穿刺針から離れる向きに変位可能である。
【発明の効果】
【００１３】
本発明の穿刺針アダプタは、穿刺針がメスコネクタに穿刺されているときにメスコネクタに係合する係止爪とを備える。従って、メスコネクタに穿刺された穿刺針が、外力や振動等によって意図せずにメスコネクタから抜け落ちる可能性が低い。
【００１４】
係止爪が設けられた略Ｕ字形状の保持片が、隣り合うアームに、これらを架橋するように設けられている。従って、保持片を構成する２本の弾性片は、弾性的に大きく曲げ変形することができる。その結果、接続可能なメスコネクタのサイズの範囲が広い。
【００１５】
天板から突出した２本のアームと、当該２本のアームに接続された略Ｕ字形状の保持片とによって大きな開口が形成される。この開口を介して、穿刺針や、穿刺針がメスコネクタに穿刺される過程を視認することができる。
【図面の簡単な説明】
【００１６】
【図１Ａ】図１Ａは、本発明の一実施形態にかかる穿刺針アダプタの上方から見た斜視図である。
【図１Ｂ】図１Ｂは、本発明の一実施形態にかかる穿刺針アダプタの下方から見た斜視図である。
【図２Ａ】図２Ａは、図１Ａの２Ａ−２Ａ線を含む上下方向面に沿った本発明の一実施形態にかかる穿刺針アダプタの断面図である。
【図２Ｂ】図２Ｂは、図１Ａの２Ｂ−２Ｂ線を含む上下方向面に沿った本発明の一実施形態にかかる穿刺針アダプタの断面図である。
【図３】図３は、メスコネクタと接続する直前の、本発明の一実施形態にかかる穿刺針アダプタの斜視図である。
【図４Ａ】図４Ａは、メスコネクタと接続された本発明の一実施形態にかかる穿刺針アダプタの上方から見た斜視図である。
【図４Ｂ】図４Ｂは、メスコネクタと接続された本発明の一実施形態にかかる穿刺針アダプタの下方から見た斜視図である。
【図５】図５は、図４Ａの５−５線を含む上下方向面に沿った、メスコネクタと接続された本発明の一実施形態にかかる穿刺針アダプタの断面図である。
【発明を実施するための形態】
【００１７】
本発明の上記の穿刺針アダプタにおいて、前記係止爪の前記天板に対向する係止面は、前記穿刺針に近づくにしたがって前記天板に近づくように傾斜していることが好ましい。かかる好ましい構成によれば、メスコネクタが大きな外径を有する場合であっても、メスコネクタと係止爪との係合が意図せずに解除される可能性が低減する。従って、穿刺針がメスコネクタから意図せずに抜け落ちる可能性が更に低減する。
【００１８】
前記弾性片は、前記天板から遠ざかるにしたがって前記穿刺針から離れるように傾斜していることが好ましい。かかる好ましい構成によれば、穿刺針アダプタとメスコネクタとを接続する際に印加する、穿刺針アダプタをメスコネクタに押し込むための押し込み力によって、弾性片を容易に曲げ変形させることができるので、押し込み力を小さくすることができる。
【００１９】
前記スリットは、前記アームの前記先端又はその近傍にまで達していることが好ましい。かかる好ましい構成によれば、アームの強度を低下させることなく、弾性片の弾性曲げ変形可能範囲を大きくすることができるので、接続可能なメスコネクタのサイズの範囲を更に拡大することができる。
【００２０】
前記保持片の前記架橋部の前記天板とは反対側の端縁が、滑らかな曲線で構成されていることが好ましい。かかる好ましい構成によれば、作業者の指が架橋部の端縁に触れることによって、痛みを感じたり、指を傷付けたりする可能性が低減する。
【００２１】
前記係止爪は、前記天板とは反対側に、前記穿刺針に近づくにしたがって前記天板に近づくように傾斜した摺動面を備えることが好ましい。かかる好ましい構成によれば、穿刺針をメスコネクタに向かって押し込むだけで、係止爪をメスコネクタに係合させることができる。従って、メスコネクタとの接続作業を簡単化することができる。
【００２２】
前記天板の前記穿刺針とは反対側の面に、前記穿刺針と連通した自閉式のコネクタが設けられていることが好ましい。かかる好ましい構成によれば、穿刺針アダプタと例えば輸液セットとが接続されていない状態において、薬液が外界に漏れ出る可能性が低減する。
【００２３】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する部材のうち、本発明を説明するために必要な主要部材のみを簡略化して示したものである。従って、本発明は以下の各図に示されていない任意の部材を備え得る。また、以下の各図では、実際の部材の寸法および各部材の寸法比率等は必ずしも忠実に表されてはいない。
【００２４】
図１Ａは、本発明の一実施形態にかかる穿刺針アダプタ１の上方から見た斜視図、図１Ｂは穿刺針アダプタ１の下方から見た斜視図である。図２Ａは、図１Ａの２Ａ−２Ａ線を含む上下方向面に沿った穿刺針アダプタ１の断面図、図２Ｂは、図１Ａの２Ｂ−２Ｂ線を含む上下方向面に沿った穿刺針アダプタ１の断面図である。図２Ａ、図２Ｂにおいて、一点鎖線１ａは、穿刺針アダプタ１の中心軸である。以下の説明の便宜のため、中心軸１ａの方向を「上下方向」と言い、図２Ａ、図２Ｂの紙面の上側を穿刺針アダプタ１の「上側」と言い、図２Ａ、図２Ｂの紙面の下側を穿刺針アダプタ１の「下側」と言う。中心軸１ａに垂直な面に平行な方向を「水平方向」と言い、中心軸１ａに垂直に交差する直線の方向を「半径方向」と言う。但し、「上下方向」、「上側」、「下側」、「水平方向」は、穿刺針アダプタ１の実際の使用時の向きを意味するものではない。
【００２５】
穿刺針アダプタ１は、中心軸１ａに沿って延びた穿刺針１０を備える。穿刺針１０は、略十字形状を有する天板２０の中央から下側に向かって突出しており、その下側端に鋭利な先端を備える。穿刺針１０の内部には、液体（例えば薬液）が流れる流路１１が形成されている。穿刺針１０の先端近傍のテーパ状の外周面には、流路１１と連通した２つの開口１２が形成されている。２つの開口１２は、中心軸１ａに対して対称位置に設けられている。
【００２６】
天板２０は、半径方向にほぼ沿って延びた４つのアーム２１を備える。４つのアーム２１は、中心軸１ａに対して等角度間隔で配置されている。その結果、天板２０は、略十字形状を有している。各アーム２１の先端２１ａからは、２本の弾性片２２が、穿刺針１０と対向するように下方に向かって延びている。共通するアーム２１に設けられた２本弾性片２２はスリット２３を介して分割されている。上下方向において、スリット２３は、アーム２１の先端２１ａとほぼ同じ高さにまで達している。
【００２７】
互いに隣り合う２つのアーム２１からそれぞれ延びた２本の弾性片２２のうち近い方同士が、その先端（下側端）で接続されて略Ｕ字形状の保持片２５が構成されている。保持片２５を構成する２本の弾性片２２の先端を接続（架橋）する部分を、保持片２５の架橋部２４という。換言すれば、保持片２５は、２本の弾性片２２と、当該２本の弾性片２２の先端を接続する架橋部２４とを備え、当該２本の弾性片２２の基端（上側端）は互いに隣り合う別個のアーム２１にそれぞれ接続されている。このように構成された略Ｕ字形状の４つの保持片２５が、穿刺針１０を取り囲むように、スリット２３を挟んで、中心軸１ａに対して等角度間隔で配置されている。架橋部２４の穿刺針１０に対向する側の面には、穿刺針１０に向かって突出する係止爪３０が設けられている。架橋部２４の下側の端縁２４ａは、なだらかな曲線に形成されている。
【００２８】
図１Ａに示されているように、天板２０が４つのアーム２１が突出した略十字形状を有すること、及び、隣り合うアーム２１を略Ｕ字形状の保持片２５が繋いでいることにより、天板２０と保持片２５とで囲まれた大きな開口２６が形成されている。穿刺針アダプタ１の外側から、開口２６を介して、穿刺針１０を見通すことができる。
【００２９】
弾性片２２は、短冊状の薄板であり、その主面（最も大きな面積を有する面）は穿刺針１０に対向している。弾性片２２の長手方向は、穿刺針１０とほぼ平行である。但し、より正確には、図２Ａから理解できるように、弾性片２２は、下側にいくにしたがって穿刺針１０までの距離が大きくなるように（即ち、穿刺針アダプタ１が全体して末広がり形状となるように）、中心軸１ａに対してわずかに傾斜している。このような各弾性片２２は、中心軸１ａを含む面内において弾性的に曲げ変形することができる。保持片２５を構成する２本の弾性片２２が曲げ変形することにより、係止爪３０は穿刺針１０から離れる向きに変位することができる。
【００３０】
図２Ｂは、中心軸１ａと、係止爪３０の穿刺針１０に最も接近した頂部３１とを通る面に沿った穿刺針アダプタ１の断面図である。この図２Ｂに最もよく示されているように、係止爪３０は、天板２０と対向する係止面３２と、頂部３１よりも下側の摺動面３３とを備えている。係止面３２は、半径方向において穿刺針１０に近づくにしたがって天板２０に近づくようにわずかに傾斜している。摺動面３３も、半径方向において穿刺針１０に近づくにしたがって天板２０に近づくように傾斜している。係止面３２より、摺動面３３の方が、半径方向に対する傾斜角度が大きい。係止面３２と摺動面３３とが楔状に交差する位置に頂部３１が設けられている。
【００３１】
天板２０の中央に、コネクタ４０が上方に向かって突出している。図２Ａ、図２Ｂに示されているように、コネクタ４０は、略円筒形状を有する筒状部４１と、筒状部４１の上端に設けられた隔壁部材（「セプタム」と呼ばれることがある）４２と、隔壁部材４２にかぶせられたキャップ４３とを備える。筒状部４１内の内腔４１ａは、穿刺針１０内の流路１１と連通している。隔壁部材４２は、円形の平面視形状を有し、ゴム等の弾性材料からなる薄板である。隔壁部材４２の中央に、隔壁部材４２を上下方向に貫通する直線状のスリット（切り込み）４２ａが形成されている。筒状部４１の上端に隔壁部材４２を載置し、隔壁部材４２の上方からキャップ４３をかぶせる。筒状部４１の外周面から突出した係合突起４１ｐがキャップ４３の周囲壁を貫通する係合孔４３ｈ内に嵌入し、係合突起４１ｐと係合孔４３ｈとが係合する（図１Ａ、図１Ｂを参照）。隔壁部材４２は筒状部４１とキャップ４３とにより上下方向に挟持される。隔壁部材４２のスリット４２ａは、キャップ４３の上面に形成された開口４３ａ内に露出する（図１Ａを参照）。隔壁部材４２のスリット４２ａに、鋭利な先端を有しない筒状のオスルアー（図示せず）を挿入すると、隔壁部材４２が弾性変形し、筒状部４１内の内腔４１ａとオスルアーとが連通する。オスルアーを隔壁部材４２から引き抜くと、隔壁部材４２は直ちに初期状態に復帰し、スリット４２ａは液密に閉じられる。このように、隔壁部材４２は、自閉式の弁体として機能する。このような自閉式のコネクタ４０は、「ニードルレスポート」とも呼ばれる。
【００３２】
本実施形態の穿刺針アダプタ１を構成する、穿刺針１０、天板２０、保持片２５、係止爪３０、筒状部４１は、樹脂材料を射出成形することにより一体的に形成されることが好ましい。使用できる樹脂材料は、特に制限はないが、ポリエチレン、ポリプロピレン、ポリカーボネート、スチレンエチレン、ポリエチレンテレフタレート、ポリブチレンテレフタレート、ブチレンスチレンブロック共重合体などを例示することができるが、医療用に用いられることや弾性片２２が繰り返し弾性曲げ変形されることを考慮すると、ポリエチレン、ポリプロピレンなどのポリオレフィン系樹脂が好ましい。キャップ４３の材料は、特に制限はないが、硬質の材料であることが好ましく、例えば、ポリカーボネート、ポリプロピレン、ポリアセタール、ポリアミド、硬質ポリ塩化ビニル、ポリエチレン等の樹脂材料を用いることができる。隔壁部材４２の材料は、特に制限はないが、軟質の材料であることが好ましく、例えば、イソプレンゴム、シリコーンゴム、ブチルゴム等のゴム材料や、熱可塑性エラストマー等を用いることができる。
【００３３】
次に、以上のように構成された本実施形態の穿刺針アダプタ１の使用方法を説明する。
【００３４】
最初に、図３に示すように、穿刺針アダプタ１をメスコネクタ８０に対向させる。メスコネクタ８０は、円筒形状を有するフランジ８３の中央の開口内に円柱形状のゴム部材８１を嵌入して当該開口を液密に封止した、いわゆる「ゴム栓」である。メスコネクタ８０と同様の構成は、例えばバイアル瓶にも設けられている。フランジ８３は円筒形状を有するコネクタ本体８５の一端に設けられており、コネクタ本体８５の他端８６は薬液を貯留するための薬液容器（図示せず）に接続されている。薬液容器の構成は特に制限はなく、形状保持性を有しない袋状の容器や、形状保持性を有するが外力を加えると容易に変形しうるボトル形状又は箱形状を有する容器など、任意の容器であってもよい。コネクタ本体８５が薬液容器に、一部品として一体的に設けられていてもよい。
【００３５】
フランジ８３の外周面８３ｂは円筒面である。フランジ８３は、コネクタ本体８５のフランジ８３のすぐ下の部分（くびれ部分）８４よりも大きな外径を有し、半径方向に膨らんでいる。従って、フランジ８３の外周面８３ｂの下側端縁８３ｃには、外周面８３ｂとこれより下側のくびれ部分８４との間の外径差に基づく段差が形成されている。
【００３６】
図３の状態から、穿刺針アダプタ１の穿刺針１０の先端を、ゴム部材８１に当接させ、更にゴム部材８１内に押し込む。穿刺針１０がゴム部材８１内に進入するのとほぼ同時に又はこれと前後して、保持片２５の係止爪３０の摺動面３３（図１Ｂ、図２Ａ、図２Ｂを参照）が、フランジ８３の上側の外周端縁（上側端縁）８３ａに当接する。穿刺針１０のゴム部材８１に対する進入深さが深くなるにしたがって、上側端縁８３ａが摺動面３３上を摺動し、保持片２５の弾性片２２が弾性的に曲げ変形して、係止爪３０は穿刺針１０から離れる向き（外向き）に変位する。係止爪３０の頂部３１は、上側端縁８３ａを越えたのち、フランジ８３の外周面８３ｂ上を下方に向かって摺動する。係止爪３０の頂部３１が、外周面８３ｂの下側端縁８３ｃに達すると、保持片２５の弾性片２２が弾性回復して、頂部３１が、フランジ８３より下のくびれ部分８４に嵌入する。
【００３７】
かくして、図４Ａ、図４Ｂ、図５に示すように、穿刺針アダプタ１をメスコネクタ８０に接続することができる。図５の断面は、中心軸１ａと係止爪３０の頂部３１とを通る。
【００３８】
図５に示されているように、穿刺針１０がゴム部材８１を貫通し、穿刺針１０の先端近傍に形成された開口１２がゴム部材８１より下側に露出している。従って、穿刺針１０の流路１１とメスコネクタ８０とが連通する。
【００３９】
係止爪３０が、フランジ８３の下側端縁８３ｃに係合している。従って、外力（例えば、穿刺針アダプタ１とメスコネクタ８０とを分離する向きの引っ張り力）や振動が穿刺針アダプタ１やメスコネクタ８０に印加されても、穿刺針１０がゴム部材８１から意図せずに抜け落ちることはない。
【００４０】
アーム２１の先端２１ａから延びた狭幅で薄板の弾性片２２は、フランジ８３の外径に応じて弾性的に曲げ変形する。従って、本発明の穿刺針アダプタ１を接続することができるフランジ８３の外径の範囲は相対的に広い。
【００４１】
スリット２３（図１Ａを参照）の上端位置が高いほど、弾性片２２の弾性的な曲げ変形可能領域が大きくなるので、接続可能なフランジ８３の外径の上限が拡大する。本実施形態のように、スリット２３が、アーム２１の先端２１ａ又はその近傍にまで達していることは、弾性片２２の弾性的な曲げ変形可能領域が最大化されるので、穿刺針アダプタ１を接続することができるフランジ８３の外径の範囲（特に上限値）を拡大するのに有利である。
【００４２】
但し、スリット２３が、水平方向に略平行なアーム２１にも及んでいると、アーム２１の強度が低下する。アーム２１の強度が低いと、穿刺針アダプタ１をメスコネクタ８０に接続する過程でフランジ８３の上側端縁８３ａが係止爪３０の摺動面３３に当接したとき、弾性片２２が曲げ変形するのではなく、上側端縁８３ａから受ける上向きの力によってアーム２１が上側に曲げ変形してしまう。この場合、係止爪３０をフランジ８３の下側端縁８３ｃに係合させることができない。従って、スリット２３は、水平方向にほぼ沿って延びるアーム２１には及んでいないことが好ましい。
【００４３】
保持片２５を構成する２本の弾性片２２の基端は、異なるアーム２１に接続されている。保持片２５を構成する当該２本の弾性片２２の主面は同一面を形成せず、それぞれが穿刺針１０に対向している。従って、係止爪３０が穿刺針１０から離れる向きに変位するとき、弾性片２２は、わずかに捩れながら曲げ変形する。この構成では、弾性片２２が捩れることなく単に曲げ変形する構成に比べて、弾性片２２の曲げ変形に対する破壊強度が向上する。これは、弾性的な曲げ変形範囲の拡大に有利である。
【００４４】
保持片２５が略Ｕ字形状を有しているので、図３及び図４Ａから理解できるように、保持片２５と天板２０のアーム２１とで囲まれた大きな開口２６を介して、穿刺針１０やゴム部材８１、さらに穿刺針１０のゴム部材８１への穿刺状態を容易に視認することができる。これは、より確実な穿刺作業を行うのに有利である。
【００４５】
図５から理解できるように、フランジ８３の外径が大きいほど、穿刺針アダプタ１をメスコネクタ８０に接続したときの係止爪３０の半径方向の外側への変位量は大きくなる。係止爪３０が半径方向の外側へ変位するとき、係止爪３０は揺動し、その姿勢（向き）が変化する。上述したように、弾性片２２が曲げ変形していない初期状態（無負荷状態）において、係止爪３０の係止面３３は、頂部３１側が天板２０に近くなるように傾斜している。このため、係止爪３０が半径方向の外側へ変位しても、頂部３１が係止面３３より高い状態を維持することができる。従って、係止面３３が上記のように傾斜していることによって、図５のように接続された穿刺針アダプタ１とメスコネクタ８０に両者を分離する向きの引っ張り力が加えられたときの、係止爪３０とフランジ８３との係合の外れにくさを、フランジ８３が大きな外径を有する場合にも確保することができる。その結果、メスコネクタ８０のフランジ８３の外径が大きくても、穿刺針１０がゴム部材８１から意図せずに抜け落ちる可能性を更に低減することができる。但し、弾性片２２が曲げ変形していない初期状態（無負荷状態）において係止面３３が上記のように傾斜している必要はなく、例えば水平面と平行であってもよい。
【００４６】
係止爪３０が、頂部３１に対して天板２０とは反対側に、穿刺針１０に近づくにしたがって天板１０に近づくように傾斜した摺動面３３を備えている。このため、上記したように、穿刺針１０をゴム部材８１に押し込む動作と並行して、係止爪３０は、フランジ８３の上側端縁８３ａに当接して変位する。従って、係止爪３０をフランジ８３に係合させるための特別な操作が不要であり、メスコネクタ８０との接続作業が簡単である。
【００４７】
弾性片２２は、天板２０から遠ざかるにしたがって、穿刺針１０から離れるように、末広がり状に傾斜している。弾性片２２がこのように傾斜していると、穿刺針アダプタ１をメスコネクタ８０に接続する過程でフランジ８３の上側端縁８３ａが係止爪３０の摺動面３３に上向きの力を印加したとき、アーム２１を上側に曲げ変形させることなく、弾性片２２を容易に曲げ変形させることができる。従って、穿刺針アダプタ１とメスコネクタ８０を接続するための、メスコネクタ８０に対する穿刺針アダプタ１の押し込み力を小さくすることができる。但し、弾性片２２は、上記のように傾斜している必要はなく、例えば中心軸１ａと平行であってもよい。
【００４８】
保持片２５の架橋部２４の端縁２４ａが滑らかな曲線で形成されているので、作業者の指が当該端縁２４ａに触れても、痛みを感じたり、指を傷付けたりすることがない。このため、例えば、図４Ａ、図４Ｂ、図５に示すように接続された穿刺針アダプタ１とメスコネクタ８０とを分離する作業、特に係止爪３０とフランジ８３との係合を解除する作業を、作業者が保持片２５の架橋部２４に指を掛けて容易に行うことができる。
【００４９】
天板２０の上面に設けられたコネクタ４０は自閉式コネクタである。従って、コネクタ４０に接続されたオスルアーをコネクタ４０から引き抜くと、隔壁部材４２のスリット４２ａは直ちに閉じられる。従って、危険な薬液が外界に漏出するという可能性を低減することができる。
【００５０】
上記の実施形態は例示に過ぎない。本発明は上記の実施形態に限定されず、適宜変更することができる。
【００５１】
上記の実施形態では、穿刺針１０内には、液体が流れる１本の流路１１のみが形成されていたが、液体が流れる流路に加えて、容器内の負圧を防ぐために気体が流れる流路が形成されていてもよい。
【００５２】
天板２０の上面に形成されたコネクタ４０の構成は、上記の実施形態で示したニードルレスポートに限定されない。例えば、テーパ面を備えた公知のコネクタであってもよい。あるいは、天板２０の上面に、輸液セットの柔軟なチューブが着脱可能なコネクタを介することなく直接接続されていてもよい。
【００５３】
穿刺針１０が穿刺されるメスコネクタを備えた容器の構成は任意である。変形可能な容器であってもよく、あるいはバイアル瓶のような実質的に変形不能の容器であってもよい。
【００５４】
穿刺針１０の流路を流れる液体は、薬液であってもよいが、薬液以外の任意の液体であってもよい。
【産業上の利用可能性】
【００５５】
本発明の利用分野は、特に制限はないが、液体（特に、薬液）を貯留した容器のメスコネクタのゴム栓に接続する穿刺針アダプタとして好ましく利用することができる。
【符号の説明】
【００５６】
１  穿刺針アダプタ
１０  穿刺針
１１  流路
２０  天板
２１  アーム
２１ａ  アームの先端
２２  弾性片
２３  スリット
２４  架橋部
２４ａ  架橋部の端縁
２５  保持片
２６  開口
３０  係止爪
３１  頂部
３２  係止面
３３  摺動面
４０  コネクタ
８０  メスコネクタ
【図１Ａ】
2014079355.tif 000003
【図１Ｂ】
2014079355.tif 000004
【図２Ａ】
2014079355.tif 000005
【図２Ｂ】
2014079355.tif 000006
【図３】
2014079355.tif 000007
【図４Ａ】
2014079355.tif 000008
【図４Ｂ】
2014079355.tif 000009
【図５】
2014079355.tif 000010